(57)【要約】    【課題】キャンバスの連結開口部を簡単に且つ正確な位置に形成すること。    【解決手段】払拭部とヘッド部とハンドルとを備えたフロアモップにおいて、払拭部のキャンバスの表面は、ヘッド部が差し込まれる横穴を、有しており、横穴は、ヘッド部とハンドルの連結部材とを連結するための連結開口部１４を、有しており、連結開口部１４は、第１布体１７の第１突き合わせ先端部１７２と第２の布体１８の第２突き合わせ先端部１８２とが突き合わされて接合されて構成されており、連結開口部１４は、第１突き合わせ先端部１７２の第１突片部１７３及び第１先端縁部１７４と、第２突き合わせ先端部１８２の第２突片部１８３及び第２先端縁部１８４と、によって囲まれて構成されている。【選択図】図８
2020130958.tif 000002
【特許請求の範囲】
【請求項１】
多数の払拭体をキャンバスの少なくとも裏面に備えた払拭部と、
前記キャンバスの表面に取り付けられて前記キャンバスを保持するヘッド部と、
一端が前記ヘッド部の長手方向中央部に連結されて延びたハンドルと、
を備えた、フロアモップにおいて、
前記キャンバスの表面は、前記ヘッド部が横から長手方向に差し込まれる横穴を、有しており、
前記横穴は、前記ヘッド部の長手方向中央部と前記ハンドルの前記一端とを連結するための連結開口部を、有しており、
前記横穴は、前記キャンバスの表面と、長手方向両側から突き合わされて接合された第１及び第２の布体とで、構成されており、
前記第１の布体の第１突き合わせ先端部は、幅方向の一方の片側に形成された第１突片部と、それ以外の第１先端縁部と、を有しており、
前記第２の布体の第２突き合わせ先端部は、幅方向の一方の片側に形成された第２突片部と、それ以外の第２先端縁部と、を有しており、
前記連結開口部は、
先端が前記第２先端縁部に接合された前記第１突片部と、
先端が前記第１先端縁部に接合された前記第２突片部と、
前記第１突片部が接合された部分以外の前記第２先端縁部と、
前記第２突片部が接合された部分以外の前記第１先端縁部と、
によって囲まれて構成されている、
ことを特徴とするフロアモップ。
【請求項２】
前記第１突き合わせ先端部と前記第２突き合わせ先端部とが、同じ形態を有している、
請求項１記載のフロアモップ。
【請求項３】
前記第１突片部と前記第１先端縁部との交差部、及び／又は、前記第２突片部と前記第２先端縁部との交差部が、曲線を呈している、
請求項２記載のフロアモップ。
【発明の詳細な説明】
【技術分野】
【０００１】
本発明は、フロアモップに関するものであり、特に、払拭部のキャンバスの構造に関するものである。
【背景技術】
【０００２】
一般的なフロアモップは、多数の払拭体をキャンバスの少なくとも裏面に備えた払拭部と、キャンバスの表面に取り付けられてキャンバスを保持するヘッド部と、一端がヘッド部の長手方向中央部に連結されて延びたハンドルと、を備えている。更に、キャンバスの表面は、ヘッド部が横から長手方向に差し込まれる横穴を、有しており、横穴は、ヘッド部の長手方向中央部とハンドルの一端とを連結するための連結開口部を、有している。
【０００３】
そして、キャンバスの表面の横穴は、キャンバスの表面に布体を重ねて一端を塞ぐことによって構成されている。そして、連結開口部は、布体に形成された貫通孔で構成されている。
【先行技術文献】
【特許文献】
【０００４】
【特許文献１】特表２００６−５１３７９４号公報
【発明の概要】
【発明が解決しようとする課題】
【０００５】
ところで、出願人は、フロアモップの軽量化と乾燥性の向上とを図るために、布体として、合成ゴム例えばＮＢＲからなるメッシュ布を用いることを、検討した。
【０００６】
そして、メッシュ布を用いることによって、フロアモップの軽量化と乾燥性の向上とを図ることができた。
【０００７】
しかしながら、連結開口部を形成するためにメッシュ布に貫通孔を形成することは困難であった。それ故に、連結開口部を正確な位置に正確な大きさで形成することが困難である、という不具合があった。
【０００８】
また、連結開口部を形成できたとしても、形成した連結開口部を正確に「縁取り縫製」することは困難であった。それ故に、使用時に、連結開口部の周縁部に破れが生じたり、ヘッド部に連結されたハンドルが連結開口部においてがたついたりする、という不具合があった。
【０００９】
本発明は、上記不具合を解消できるフロアモップを提供することを、目的としている。
【課題を解決するための手段】
【００１０】
本発明は、
多数の払拭体をキャンバスの少なくとも裏面に備えた払拭部と、
前記キャンバスの表面に取り付けられて前記キャンバスを保持するヘッド部と、
一端が前記ヘッド部の長手方向中央部に連結されて延びたハンドルと、
を備えた、フロアモップにおいて、
前記キャンバスの表面は、前記ヘッド部が横から長手方向に差し込まれる横穴を、有しており、
前記横穴は、前記ヘッド部の長手方向中央部と前記ハンドルの前記一端とを連結するための連結開口部を、有しており、
前記横穴は、前記キャンバスの表面と、長手方向両側から突き合わされて接合された第１及び第２の布体とで、構成されており、
前記第１の布体の第１突き合わせ先端部は、幅方向の一方の片側に形成された第１突片部と、それ以外の第１先端縁部と、を有しており、
前記第２の布体の第２突き合わせ先端部は、幅方向の一方の片側に形成された第２突片部と、それ以外の第２先端縁部と、を有しており、
前記連結開口部は、
先端が前記第２先端縁部に接合された前記第１突片部と、
先端が前記第１先端縁部に接合された前記第２突片部と、
前記第１突片部が接合された部分以外の前記第２先端縁部と、
前記第２突片部が接合された部分以外の前記第１先端縁部と、
によって囲まれて構成されている、
ことを特徴としている。
【発明の効果】
【００１１】
本発明によれば、連結開口部を簡単に且つ正確な位置に形成できるので、生産性を向上できる。
【図面の簡単な説明】
【００１２】
【図１】本発明の一実施形態のフロアモップの全体斜視図である。
【図２】払拭部とヘッド部とを示す分解図である。
【図３】ヘッド部の被連結部とハンドルの連結部材との連結状態を示す斜視図である。
【図４】図３のIV矢視図である。
【図５】被連結部と連結部材との連結直前状態を示しており、図４に相当する図である。
【図６】キャンバスの平面図である。
【図７】キャンバスの分解図である。
【図８】第１突き合わせ先端部と第２突き合わせ先端部とを突き合わせた状態を示す平面部分図である。
【図９】図８の状態にて縁取り縫製した後の状態を示す平面部分図である。
【図１０】図９のＸ−Ｘ断面図である。
【図１１】キャンバスの第３布体の平面部分図である。
【図１２】図１１のＸII−ＸII断面図である。
【図１３】幅狭に形成された連結開口部を示す平面部分図である。
【図１４】長く形成された連結開口部１４を示す平面部分図である。
【図１５】第１突き合わせ先端部と第２突き合わせ先端部とが異なる形態を有する場合の連結開口部の一例を示す平面部分図である。
【図１６】第１突き合わせ先端部と第２突き合わせ先端部とが異なる形態を有する場合の連結開口部の別の例を示す平面部分図である。
【図１７】第１突片部と第１先端縁部との交差部、及び、第２突片部と第２先端縁部との交差部が、直線同士の交差で構成されている場合の、連結開口部の一例を示す平面部分図である。
【発明を実施するための形態】
【００１３】
図１は、本発明の一実施形態のフロアモップの全体斜視図である。このフロアモップ１０は、払拭部１と、ヘッド部と、ハンドル３と、を備えている。図１は、フロアモップ１０の使用形態を示している。図２は、払拭部１とヘッド部２とを示す分解図である。
【００１４】
払拭部１は、多数の払拭体１１をキャンバス１２の少なくとも裏面に備えている。払拭体１１は、例えばパイル糸である。なお、図２以降の図では、払拭体１１の図示を省略している。
【００１５】
ヘッド部２は、金属棒で構成されている。ヘッド部２は、長細い長方形の両短辺が半円弧状である形態を有する外枠体２１と、ヘッド部２の長手方向中央部に構成された被連結部２２と、を有している。被連結部２２は、長手方向Ｘに対して平行に延びた被連結棒２２１と、長手方向Ｘに対する直交方向（幅方向）Ｙに対して平行に延びた２本の支持棒２２２、２２３とで、構成されている。支持棒２２２の両端は、外枠体２１に連結している。支持棒２２３の両端も、外枠体２１に連結している。被連結棒２２１は、幅方向Ｙの中央にて両端が支持棒２２２、２２３に連結している。
【００１６】
キャンバス１２の表面には、長手方向Ｘの全部に延びた横穴１３が形成されている。横穴１３は、挿入口１３１からヘッド部２が長手方向Ｘに挿入されるようになっている。横穴１３は、挿入されたヘッド部２の被連結部２２と、ハンドル３の一端に取り付けられている連結部材３１とを、連結するための、連結開口部１４を有している。
【００１７】
図３は、ヘッド部２の被連結部２２とハンドル３の連結部材３１との連結状態を示す斜視図である。図４は、図３のIV矢視図である。図５は、被連結部２２と連結部材３１との連結直前状態を示しており、図４に相当する図である。連結部材３１は、板状の固定部３２と板状の可動部３３とを有しており、両者とも、被連結棒２２１と略同じ長さを有している。固定部３２は、両側の縁部３２１に溝部３２２を有している。可動部３３は、軸３３５回りに回動可能であり、先端の曲げ部３３１が固定部３２に押し付けられるようにスプリング（図示せず）によって付勢されている。可動部３３は、固定部３２に押し付けられると、溝部３２２を閉じるようになっている。よって、可動部３３を付勢力に抗して固定部３２から離し、その状態で溝部３２２に被連結棒２２１を入れ、その後、可動部３３を付勢力に任せて固定部３２に押し付けると、閉じた溝部３２２に被連結棒２２１が保持されることとなり、これによって、連結部材３１が被連結棒２２１に連結される。
【００１８】
そして、本発明では、払拭部１のキャンバス１２が、次のように構成されている。図６は、キャンバス１２の平面図である。図７は、キャンバス１２の分解図である。キャンバス１２は、キャンバス１２の表面である基布体１５と、基布体１５を覆うよう設けられた布体１６と、を有している。基布体１５及び布体１６は、合成ゴム例えばＮＢＲからなるメッシュ布であり、ヘッド部２の外枠体２１と同じ形状を有している。基布体１５の裏面には多数の払拭体１１が接合されている。
【００１９】
布体１６は、第１布体１７と第２布体１８と第３布体１９とからなっている。
【００２０】
第１布体１７は、キャンバス１２の略半分の長さを有する長細い長方形を基本形態として有しており、長手方向Ｘ１側に半円弧状の曲線部１７１を有しており、長手方向Ｘ２側に第１突き合わせ先端部１７２を有している。第１突き合わせ先端部１７２は、幅方向Ｙ１側に形成された第１突片部１７３と、それ以外の第１先端縁部１７４と、を有している。第１突片部１７３と第１先端縁部１７４との交差部１７５は、曲線を呈している。
【００２１】
第２布体１８は、キャンバス１２の略半分の長さを有する長細い長方形を基本形態として有しており、長手方向Ｘ２側に直線部１８１を有しており、長手方向Ｘ１側に第２突き合わせ先端部１８２を有している。第２突き合わせ先端部１８２は、幅方向Ｙ２側に形成された第２突片部１８３と、それ以外の第２先端縁部１８４と、を有している。第２突片部１８３と第２先端縁部１８４との交差部１８５は、曲線を呈している。
【００２２】
ここでは、第１突き合わせ先端部１７２と第２突き合わせ先端部１８２とは、同じ形態を有している。
【００２３】
そして、連結開口部１４は、第１突き合わせ先端部１７２と第２突き合わせ先端部１８２とが、突き合わされて相互に接合されて構成されている。具体的には、連結開口部１４は、図８に示されるように、第１突片部１７３の先端１７３１が第２先端縁部１８４に接合され、且つ、第２突片部１８３の先端１８３１が第１先端縁部１７４に接合されることによって、構成されている。すなわち、連結開口部１４は、第２先端縁部１８４に接合された第１突片部１７３と、第１先端縁部１７４に接合された第２突片部１８３と、第１突片部１７３が接合された部分以外の第２先端縁部１８４１と、第２突片部１８３が接合された部分以外の第１先端縁部１７４１と、によって囲まれて構成されている。
【００２４】
なお、図９に示されるように、第１突片部１７３の先端１７３１と第２先端縁部１８４との接合部１９１と、第２突片部１８３の先端１８３１と第１先端縁部１７４との接合部１９２と、連結開口部１４を囲む辺部とは、全て「縁取り縫製」されている。図１０は図９のＸ−Ｘ断面図である。
【００２５】
そして、第１布体１７及び第２布体１８は、第１突き合わせ先端部１７２と第２突き合わせ先端部１８２とを突き合わせて接合して連結開口部１４を構成した状態で、周縁部が基布体１５の周縁部に縫製されており、これによって、横穴１３が構成されている。具体的には、基布体１５の周縁部１５０に縫製される第１布体１７の周縁部は、長手方向Ｘに延びた直線部１７８、１７９と曲線部１７１であり、基布体１５の周縁部１５０に縫製される第２布体１８の周縁部は、長手方向Ｘに延びた直線部１８８、１８９である。第２布体１８の直線部１８１は、基布体１５には縫製されず、基布体１５から離れており、これにより、横穴１３への挿入口１３１が構成されている。
【００２６】
第３布体１９は、略半円状を有しており、長手方向Ｘ１側の直線部１９１と、その他の周縁部１９２とを、有している。そして、第３布体１９は、図１１及び図１１のＸII−ＸII断面図である図１２に示されるように、直線部１９１を第２布体１８の直線部１８１上に重ねた状態で、周縁部１９２が基布体１５の周縁部１５０に縫製されている。これにより、第３布体１９は、横穴１３に挿入されたヘット部２が挿入口１３１から抜け出るのを防止するよう機能する。
【００２７】
上記構成のフロアモップ１０は、次のようにして組み立てる。すなわち、払拭部１の横穴１３に、挿入口１３１からヘッド部２を挿入する。そして、横穴１３の連結開口部１４に露出しているヘッド部２の連結部２２の被連結棒２２１に、ハンドル３の連結部材３１を連結する。
【００２８】
上記構成のフロアモップ１０によれば、次のような効果を発揮できる。
（１）第１突片部１７３と第１先端縁部１７４とを有する第１突き合わせ先端部１７２と、第２突片部１８３と第２先端縁部１８４とを有する第２突き合わせ先端部１８２とを、突き合わせて接合するだけで、連結開口部１４を構成しているので、次のような効果を発揮できる。
【００２９】
(1-1)連結開口部１４を簡単に形成できる。
【００３０】
(1-2)連結開口部１４を正確な位置に形成できる。
【００３１】
(1-3)連結開口部１４が、第１突片部１７３と第１先端縁部１７４１と第２突片部１８３と第２先端縁部１８４１とによって囲まれて構成されているので、連結開口部１４の「縁取り縫製」を簡単且つ確実に行うことができる。よって、連結開口部１４の周縁部に破れが生じるのを防止できる。
【００３２】
(1-4)第１突片部１７３の幅寸法Ｗ１及び長さ寸法Ｌ１と、第２突片部１８３の幅寸法Ｗ２及び長さ寸法Ｌ２とを、任意に変更することによって、連結開口部１４の幅方向Ｙ及び長手方向Ｘの大きさを任意に且つ容易に設定できる。例えば、幅寸法Ｗ１、Ｗ２を図８の例に比して大きく設定すれば、図１３に示されるように、幅狭の連結開口部１４を形成できる。また、長さ寸法Ｌ１、Ｌ２を図８の例に比して大きく設定すれば、図１４に示されるように、長い連結開口部１４を形成できる。したがって、被連結棒２２１に連結された連結部材３１ががたつかないような大きさの連結開口部１４を、容易に形成できる。よって、ハンドル３の連結部材３１ががたつくのを防止できる。なお、図８の例では、Ｗ１＝Ｗ２、且つ、Ｌ１＝Ｌ２である。
【００３３】
（２）第１突き合わせ先端部１７２と第２突き合わせ先端部１８２とが同じ形態を有しているので、第１布体１７及び第２布体１８の生産性を向上できる。
【００３４】
（３）連結開口部１４の交差部１７５及び交差部１８５が曲線を呈しているので、連結開口部１４の耐久性を向上できる。
【００３５】
［変形例］
本発明は、次のような変形構造を採用してもよい。
【００３６】
（ａ）第１突き合わせ先端部１７２と第２突き合わせ先端部１８２とが、例えば、図１５又は図１６に示されるように、異なる形態を有している。これによれば、ヘッド部２の被連結部２２が必ずしも幅方向中央又は長手方向中央に位置していない場合でも、被連結部２２の位置に連結開口部１４を形成できる。
【００３７】
(a-1)図１５では、第１突片部１７３の幅寸法Ｗ１が第２突片部１８３の幅寸法Ｗ２より大きく設定されており、すなわち、Ｗ１≠Ｗ２である。この場合、ヘッド部２の被連結部２２は、幅方向中央から外れて位置している。
【００３８】
(a-2)図１６では、第１突片部１７３の長さ寸法Ｌ１が第２突片部１８３の長さ寸法Ｌ２より大きく設定されており、すなわち、Ｌ１≠Ｌ２である。この場合、ヘッド部２の被連結部２２は、長手方向中央から外れて位置している。
【００３９】
(a-3)Ｗ１≠Ｗ２、且つ、Ｌ１≠Ｌ２でもよい。
【００４０】
（ｂ）連結開口部１４の交差部１７５及び交差部１８５が、例えば、図１７に示されるように、直線同士の交差で構成されている。なお、交差部１７５及び交差部１８５の一方のみが直線同士の交差で構成されてもよい。
【産業上の利用可能性】
【００４１】
本発明のフロアモップは、キャンバスの連結開口部を簡単に且つ正確な位置に形成できるので、生産性を向上でき、それ故、産業上の利用価値が大である。
【符号の説明】
【００４２】
１  払拭部
２  ヘッド部
３  ハンドル
１０  フロアモップ
１１  払拭体
１２  キャンバス
１３  横穴
１４  連結開口部
１７  第１布体
１７２  第１突き合わせ先端部
１７３  第１突片部
１７４  第１先端縁部
１７５  交差部
１８  第２布体
１８２  第２突き合わせ先端部
１８３  第２突片部
１８４  第２先端縁部
１８５  交差部
【図１】
2020130958.tif 000003
【図２】
2020130958.tif 000004
【図３】
2020130958.tif 000005
【図４】
2020130958.tif 000006
【図５】
2020130958.tif 000007
【図６】
2020130958.tif 000008
【図７】
2020130958.tif 000009
【図８】
2020130958.tif 000010
【図９】
2020130958.tif 000011
【図１０】
2020130958.tif 000012
【図１１】
2020130958.tif 000013
【図１２】
2020130958.tif 000014
【図１３】
2020130958.tif 000015
【図１４】
2020130958.tif 000016
【図１５】
2020130958.tif 000017
【図１６】
2020130958.tif 000018
【図１７】
2020130958.tif 000019